(57)【要約】【課題】電線付き電気電子部品をハウジングに容易に組み付けることができるとともに、保持力を高めてハウジングに保持することができる電線付き電気電子部品の保持構造を提供すること。【解決手段】電線付き電気電子部品の保持構造１において、部品保持部５０は、部品本体２１の一側面２１ａ側、かつ先端側を部品本体２１の取り付け口としてハウジング３０への組み付けのための移動方向に沿ってアーム状に延びる移動方向延在アーム部５２ａを含む保持アーム部５２と、保持アーム部５２との間に電線Ｗを挟み込み配置する隙間５４を空けるように設けた壁からなる電線押圧壁部５３と、を有し、電線付き電気電子部品２０をハウジング３０に組み付ける場合、部品本体２１を組み付け位置に配置した後、電線Ｗを隙間５４が押し拡げられるように配置することによって、保持アーム部５２が移動方向延在アーム部５２ａを一側面２１ａに押圧するように変形する。【選択図】図１
2015191759.tif 000002
【特許請求の範囲】
【請求項１】
部品本体に電線を取り付けた電線付き電気電子部品を保持する部分となる部品保持部を含むハウジングによって前記電線付き電気電子部品を保持する電線付き電気電子部品の保持構造において、
前記部品保持部は、
前記部品本体の一側面側、かつ先端側を前記部品本体の取り付け口として前記ハウジングへの組み付けのための移動方向に沿ってアーム状に延びる移動方向延在アーム部を含む保持アーム部と、
前記保持アーム部との間に前記電線を挟み込み配置する隙間を空けるように設けた壁からなる電線押圧壁部と、
を有し、
前記電線付き電気電子部品を前記ハウジングに組み付ける場合、前記部品本体を組み付け位置に配置した後、前記電線を前記隙間が押し拡げられるように配置することによって、前記保持アーム部が前記移動方向延在アーム部を前記一側面に押圧するように変形する
ことを特徴とする電線付き電気電子部品の保持構造。
【請求項２】
前記保持アーム部は、
前記ハウジングの組み付け位置に配置した前記部品本体の移動方向奥側で前記移動方向延在アーム部に対して屈曲してアーム状に連続する連続アーム部
を有し、
前記電線押圧壁部は、
前記連続アーム部との間に前記隙間を空けるように設け、
前記電線付き電気電子部品を前記ハウジングに組み付ける場合、前記隙間に配置した前記電線が前記連続アームを前記部品本体側に傾斜するように押圧することによって、前記移動方向延在アーム部が前記部品本体の前記一側面を押圧する
ことを特徴とする請求項１に記載の電線付き電気電子部品の保持構造。
【請求項３】
前記隙間を形成する前記保持アーム部と前記電線押圧壁部との間隔は、
前記電線の外径に比して小さくなるように調整する
ことを特徴とする請求項１または２に記載の電線付き電気電子部品の保持構造。
【請求項４】
当該電線付き電気電子部品の保持構造は、
電気的に接続する接続相手との接続部分となる電気接続部を有する導電部材を前記ハウジングにさらに組み付け、
前記電線付き電気電子部品は、
前記部品本体に前記電気接続部を挿通することによって該電気接続部の電流を測定するための測定孔を前記部品本体の組み付けのための移動方向に貫通するように形成した電流センサーであり、前記部品本体を前記ハウジングに組み付ける場合、前記測定孔に前記電気接続部を挿通する
ことを特徴とする請求項１、２または３に記載の電線付き電気電子部品の保持構造。
【発明の詳細な説明】
【技術分野】
【０００１】
本発明は、ハウジングによって電線付き電気電子部品を保持する電線付き電気電子部品の保持構造に関する。
【背景技術】
【０００２】
従来、部品本体に電線を取り付けた電気電子部品は、他部品との組み付けの関係で組み付け先となるハウジングへの組み付けのための移動方向が定められている。
例えば、特許文献１には、電線付き電気電子部品としての電流センサーをハウジングに組み付ける場合、端子金具を測定孔に挿通しながらハウジングに組み付ける電線付き電気電子部品の保持構造が記載されている。
このような、電線付き電気電子部品の保持構造には、ハウジングに電線付き電気電子部品を保持する部分となる部品保持部を設けるのが一般的である。
この部品保持部は、部品本体をハウジングへの組み付けのため移動する際、部品本体に摺接することによって部品本体の移動空間を拡げる向きに撓み変形し、部品本体が組み付け位置に配置されると、部品本体側に弾性復元することによって部品本体を保持するものを多用する。
【先行技術文献】
【特許文献】
【０００３】
【特許文献１】特開２０１１−６０４３８号公報
【発明の概要】
【発明が解決しようとする課題】
【０００４】
しかしながら、上述した従来の電線付き電気電子部品の保持構造は、部品保持部による部品本体の保持力を高めようとすると、部品本体をハウジングへの組み付けのため移動する際に、部品本体にかかる部品保持部からの押圧力が大きくなり、部品本体をハウジングに組み付け難くなってしまう。しかも、上述した従来の電線付き電気電子部品の保持構造は、部品本体だけでなく、電線についてもハウジングに保持しなければならないことがハウジングへの組み付け作業をさらに煩雑にしていた。
【０００５】
本発明は、上記に鑑みてなされたものであって、電線付き電気電子部品をハウジングに容易に組み付けることができるとともに、保持力を高めてハウジングに保持することができる電線付き電気電子部品の保持構造を提供することを目的とする。
【課題を解決するための手段】
【０００６】
上述した課題を解決し、目的を達成するために、本発明の請求項１に係る電線付き電気電子部品の保持構造は、部品本体に電線を取り付けた電線付き電気電子部品を保持する部分となる部品保持部を含むハウジングによって前記電線付き電気電子部品を保持する電線付き電気電子部品の保持構造において、前記部品保持部は、前記部品本体の一側面側、かつ先端側を前記部品本体の取り付け口として前記ハウジングへの組み付けのための移動方向に沿ってアーム状に延びる移動方向延在アーム部を含む保持アーム部と、前記保持アーム部との間に前記電線を挟み込み配置する隙間を空けるように設けた壁からなる電線押圧壁部と、を有し、前記電線付き電気電子部品を前記ハウジングに組み付ける場合、前記部品本体を組み付け位置に配置した後、前記電線を前記隙間が押し拡げられるように配置することによって、前記保持アーム部が前記移動方向延在アーム部を前記一側面に押圧するように変形することを特徴とする。
【０００７】
また、本発明の請求項２に係る電線付き電気電子部品の保持構造は、上記の発明において、前記保持アーム部は、前記ハウジングの組み付け位置に配置した前記部品本体の移動方向奥側で前記移動方向延在アーム部に対して屈曲してアーム状に連続する連続アーム部を有し、前記電線押圧壁部は、前記連続アーム部との間に前記隙間を空けるように設け、前記電線付き電気電子部品を前記ハウジングに組み付ける場合、前記隙間に配置した前記電線が前記連続アームを前記部品本体側に傾斜するように押圧することによって、前記移動方向延在アーム部が前記部品本体の前記一側面を押圧することを特徴とする。
【０００８】
また、本発明の請求項３に係る電線付き電気電子部品の保持構造は、上記の発明において、前記隙間を形成する前記保持アーム部と前記電線押圧壁部との間隔は、前記電線の外径に比して小さくなるように調整する。
【０００９】
また、本発明の請求項４に係る電線付き電気電子部品の保持構造は、上記の発明において、当該電線付き電気電子部品の保持構造は、電気的に接続する接続相手との接続部分となる電気接続部を有する導電部材を前記ハウジングにさらに組み付け、前記電線付き電気電子部品は、前記部品本体に前記電気接続部を挿通することによって該電気接続部の電流を測定するための測定孔を前記部品本体の組み付けのための移動方向に貫通するように形成した電流センサーであり、前記部品本体を前記ハウジングに組み付ける場合、前記測定孔に前記電気接続部を挿通することを特徴とする。
【発明の効果】
【００１０】
本発明の請求項１に係る電線付き電気電子部品の保持構造は、前記電線付き電気電子部品を前記ハウジングに組み付ける場合、前記部品本体を組み付け位置に配置した後、前記電線を前記隙間が押し拡げられるように配置することによって、前記保持アーム部が前記移動方向延在アーム部を前記一側面に押圧するように変形するので、前記部品本体が組み付け位置までの移動する際には、前記移動方向延在アーム部の前記一側面に対する押圧力を組み付けのための邪魔にならない程度に調整し、前記部品本体とともに前記ハウジングに保持すべき前記電線の前記ハウジングへの組み付けによって、前記移動方向延在アーム部による保持力を高めるようにしているので、電線付き電気電子部品をハウジングに容易に組み付けることができるとともに、保持力を高めてハウジングに保持することができる。
【００１１】
本発明の請求項２に係る電線付き電気電子部品の保持構造は、前記保持アーム部が前記移動方向延在アーム部と、前記連続アーム部とで前記部品本体の複数の面を囲うようにして前記部品本体を保持することができるので、前記保持アーム部によって前記部品本体のガタつきを抑える効果を高めつつ保持することができる。
【００１２】
本発明の請求項３に係る電線付き電気電子部品の保持構造は、一本の前記電線によって前記隙間を確実に押し拡げることができるので、容易に組み付けることができる。
【００１３】
本発明の請求項４に係る電線付き電気電子部品の保持構造は、前記電線付き電気電子部品として前記測定孔に前記導電部材を挿通する前記電流センサーを用いた場合、前記電流センサーの前記部品本体の組み付けのための移動方向が前記導電部材を前記挿通孔に挿通する方向となって、前記部品本体の組み付け位置までの移動の際には、前記移動方向延在アーム部の前記一側面に対する押圧力を組み付けのための邪魔にならない程度に調整し、前記部品本体とともに前記ハウジングに保持すべき前記電線の前記ハウジングへの組み付けによって、前記移動方向延在アーム部の保持力を高めるようにしているので、前記電流センサーを前記ハウジングに容易に組み付けることができるとともに、保持力を高めて前記ハウジングに保持することができる。
【図面の簡単な説明】
【００１４】
【図１】図１は、本発明の実施例に係る電線付き電気電子部品の保持構造を組み込んだコネクタの分解斜視図である。
【図２】図２は、図１に示すコネクタの斜視図である。
【図３】図３は、図１に示すコネクタの側面図である。
【図４】図４は、図１に示すハウジングの斜視図である。
【図５】図５は、図１に示すハウジングを斜め下方から視た図である。
【図６】図６は、図１に示すハウジングの側面図である。
【図７】図７は、図１に示す電流センサーの斜視図である。
【図８】図８は、図１に示す電流センサーを斜め下方から視た図である。
【図９】図９は、図１に示す電流センサーの側面図であり、電線を断面で示した図である。
【図１０】図１０は、（ａ）が端子をハウジングに組み付けた組立体の斜視図であり、（ｂ）がが（ａ）に示す組立体に対してさらにハウジングに電流センサーを組み付けた組立体の斜視図である。
【図１１】図１１は、（ａ）が図１０の（ｂ）に示した組立体の各端子とバスバーとをボルト締結した組立体の斜視図であり、（ｂ）が組み付けを完了したコネクタの斜視図である。
【図１２】図１２は、変形例の電線付き電気電子部品の保持構造を組み込んだコネクタの側面図である。
【発明を実施するための形態】
【００１５】
以下、図面を参照して、本発明に係る電線付き電気電子部品の保持構造の好適な実施例を詳細に説明する。
【実施例】
【００１６】
図１は、本発明の実施例に係る電線付き電気電子部品の保持構造１を組み込んだコネクタ１００の分解斜視図である。図２は、図１に示すコネクタ１００の斜視図である。図３は、図１に示すコネクタ１００の側面図である。図４は、図１に示すハウジング３０の斜視図である。図５は、図１に示すハウジング３０を斜め下方から視た図である。図６は、図１に示すハウジング３０の側面図である。図７は、図１に示す電流センサー２０の斜視図である。図８は、図１に示す電流センサー２０を斜め下方から視た図である。図９は、図１に示す電流センサー２０の側面図であり、電線Ｗを断面で示した図である。
なお、本発明の実施例では説明の便宜上、図中に示すように前後、および上下方向を定義する。
本発明の実施例に係る電線付き電気電子部品の保持構造１は、例えば、自動車の機器に取り付けるコネクタ１００に組み込む。
【００１７】
コネクタ１００は、取り付け先となる不図示の機器に設けたバスバー１１０に接続するとともに、ハウジング３０に設けた相手コネクタ嵌合部４１によって自動車内に配索したワイヤーハーネス等の電線を有する不図示の相手コネクタに接続するようになっている。
【００１８】
このコネクタ１００は、電気的に接続する接続相手としてのバスバー１１０とのボルト７０による締結が可能な電気接続部を有する導電部材としての３つの端子１０と、電気接続部１１を部品本体２１の測定孔２２に挿通して端子１０の電流を測定する電線付き電気電子部品としての電流センサー２０と、３つの端子１０および電流センサー２０を組み付けるハウジング３０と、を有する。
【００１９】
なお、電線付き電気電子部品の保持構造１は、部品本体２１に電線Ｗを取り付けた電流センサー２０を保持する部分となる部品保持部５０を含むハウジング３０によって電流センサー２０を保持する構造である。
【００２０】
以下、コネクタ１００について説明しつつ、電線付き電気電子部品の保持構造１の各部について説明する。
【００２１】
端子１０は、板状の導電部材を抜き打ち加工や曲げ加工を施すことによって形成したものである。この端子１０は、一方の端部にバスバー１１０とボルト７０によって締結する電気接続部１１を設け、他方の端部に不図示の相手コネクタに設けた雄端子に接続するメス端子部１２を設ける。
また、端子１０は、電気接続部１１と、メス端子部１２との間を中間部１３によって連続するようになっている。
【００２２】
電気接続部１１は、電流測定のために電流センサー２０の測定孔２２に挿通する挿通部１１ａと、測定孔２２から露出する先端部分であり、バスバー１１０をボルト７０によって締結するためのボルト挿通孔１１ｃを形成したボルト締結部１１ｂと、を有する。
【００２３】
電流センサー２０は、本体部分を構成する部品本体２１と、部品本体２１に取り付けた電線Ｗと、を有する。
部品本体２１は、外郭が合成樹脂等の絶縁材によって構成した略直方体形状をなし、測定孔２２と、ガイド突起部２３と、ネジ穴２４と、を有する。
【００２４】
測定孔２２は、電気接続部１１を挿通することによって電気接続部１１の電流を測定する孔であり、電気接続部１１の断面外形に対応した矩形状をなす。この測定孔２２は、部品本体２１の長手方向に沿って３箇所に並んで設けている。
【００２５】
ガイド突起部２３は、部品本体２１の下面から突出するように設けている。
このガイド突起部２３は、部品本体２１のハウジング３０への組み付けのための移動方向（以下、組付移動方向Ｄという。）に直交する方向に間隔を空けて２箇所に設けている。
【００２６】
ネジ穴２４は、部品本体２１をハウジング３０に固定するネジ８０を取り付けるための穴であり、ハウジング３０の後述する固定孔５１ａに対応した位置に形成する。
【００２７】
ハウジング３０は、合成樹脂等の絶縁材からなり、各端子１０を配置する３つの端子配置部４０と、電流センサー２０を保持する部分となる部品保持部５０と、部品本体２１をハウジング３０の組み付け位置までガイドするガイド壁部６０と、を有する。
【００２８】
各端子配置部４０は、メス端子部１２を相手コネクタの雄端子に接続可能に配置する相手コネクタ嵌合部４１と、中間部１３を配置する中間部配置部４２と、を有する。
【００２９】
相手コネクタ嵌合部４１は、後述する端子載置面４２ａ側にメス端子部１２の端子挿入口４１ａを形成したフード状をなし、内部にメス端子部１２を相手コネクタ嵌合部４１の突出方向に沿って突出するように配置する。
中間部配置部４２は、中間部１３の一部を載置する端子載置面４２ａを有する。
【００３０】
このような端子配置部４０に端子１０を配置する場合、中間部１３が端子載置面４２ａに当接するまでメス端子部１２を端子挿入口４１ａから相手コネクタ嵌合部４１内に押し込む。
【００３１】
部品保持部５０は、部品本体２１を載置する部品載置面５１と、保持アーム部５２と、電線押圧壁部５３と、を有する。
【００３２】
部品載置面５１は、部品本体２１の長手方向の両端部を載置する面であり、部品本体２１をネジ止め固定するための固定孔５１ａを形成した部品端部載置面５１ｂと、後述するガイド壁６１の上端縁面６０ａとで構成する。
【００３３】
保持アーム部５２は、部品本体２１の一側面側（上面側）２１ａ、かつ先端側を部品本体２１の取り付け口として組付移動方向Ｄに沿ってアーム状に延びる移動方向延在アーム部５２ａと、ハウジング３０の組み付け位置に配置した部品本体２１の組付移動方向Ｄ奥側で移動方向延在アーム部５２ａに対して屈曲してアーム状に連続する連続アーム部５２ｂと、を含む。
【００３４】
移動方向延在アーム部５２ａは、電気接続部１１に対して平行に延びているため、電気接続部１１を測定孔２２に挿通しながら部品本体部２１をハウジング３０の組み付け位置まで移動する際、部品本体部２１が上下方向でガタつかないようにガイドする機能をなしている。
このため、移動方向延在アーム部５２ａは、電流センサー２０のハウジング３０への組み付けの際、電気接続部１１が測定孔２２の孔内面に接触することを防ぎ、結果的に、電流センサー２０が損傷することを防止している。
【００３５】
連続アーム部５２ｂは、移動方向延在アーム部５２ａに対して略直角に屈曲して連続し、弾性的に部品本体２１側に傾斜することができるようになっている。
このような保持アーム部５２は、移動方向延在アーム部９１ａと、連続アーム部５２ｂとで部品本体２１の複数の面を囲うようにして部品本体２１を保持する。
なお、保持アーム部５２は、部品本体２１の組付移動方向Ｄに直交する方向に間隔を空けて２箇所に設けている。
【００３６】
電線押圧壁部５３は、保持アーム部５２との間に電線Ｗを挟み込み配置する隙間５４を空けるように設けた壁からなる。より具体的には、電線押圧壁部５３は、連続アーム部５２ｂを押圧するように連続アーム部５２ｂとの間で電線Ｗを挟み込み配置する隙間５４を空けるように設けた壁である。
この電線押圧壁部５３は、連続アーム部５２ｂに平行に向かい合うように設けた壁である。
隙間５４を形成する連続アーム部５２ｂと電線押圧壁部５３との間隔ａ（図３参照）は、電線Ｗの外径ｂ（図９参照）に比して小さくなるように調整している。
【００３７】
電流センサー２０をハウジング３０に組み付ける場合、部品本体２１をハウジング３０の組み付け位置に配置した後、電線Ｗを隙間５４に配置することによって、連続アーム部５２ｂが電線Ｗによる押圧力によって部品本体２１側に傾斜し、移動方向延在アーム部５２ａが部品本体２１の一側面２１ａを押圧する。これにより、部品本体２１がハウジング３０の組み付け位置に確実に保持される。
【００３８】
ガイド壁部６０は、ガイド突起部２３の幅より僅かに大きい間隔を空けて向かい合い、かつ、部品本体２１の組付移動方向Ｄに沿って設けることによって、ガイド突起部２３を間にして部品本体２１を組み付け位置Ｄまでガイドする一対のガイド壁６１からなる。このガイド壁部６０は、２つのガイド突起部２３に対応して２箇所に設けている。
【００３９】
次に、図１０および図１１を用いてコネクタ１００の組み付け手順について説明する。
図１０は、（ａ）が端子１０をハウジング３０に組み付けた組立体の斜視図であり、（ｂ）がが（ａ）に示す組立体に対してさらにハウジング３０に電流センサー２０を組み付けた組立体の斜視図である。図１１は、（ａ）が図１０の（ｂ）に示した組立体の各端子１０とバスバー１１０とをボルト締結した組立体の斜視図であり、（ｂ）が組み付けを完了したコネクタ１００の斜視図である。
【００４０】
まず、作業者は、３つの端子１０をハウジング３０に組み付ける（図１０（ａ）参照）。ここで、メス端子部１２が相手コネクタ嵌合部４１内に配置され、中間部１３が端子載置面４２ａに載置される。
【００４１】
その後、作業者は、電流センサー２０の部品本体２１をハウジング３０に組み付ける（図１０（ｂ）参照）。ここで、部品本体２１は、各測定孔２２に各端子１０の電気接続部１１を挿通しつつ、２つのガイド突起部２３を対応する各ガイド壁部６０の一対のガイド壁６１の間に嵌め込み、さらに、部品本体２１を、２つの移動方向延在アーム部５２ａの先端側から、２つの移動方向延在アーム部５２ａと各ガイド壁６１の上端縁面６０ａとの間に挿入した状態でハウジング３０の組み付け位置まで移動する。
作業者は、このようにして部品本体２１を組み付け位置まで移動したら、ネジ８０によって部品本体２１をハウジング３０に固定する。
【００４２】
このとき、部品本体２１は、ガイド突起部２３とガイド壁部６０とによって位置決めされながら組み付け位置に配置されるので、部品本体２１のネジ穴２４と、ハウジング３０の固定孔５１ａとを容易に合わせることができる。
また、部品本体２１は、移動方向延在アーム部によって、上下方向のガタつきを防止しながら組み付け位置まで移動する。
【００４３】
その後、作業者は、各端子１０とバスバー１１０とをボルト締結する（図１１（ａ）参照）。
【００４４】
その後、作業者は、電線Ｗを隙間５４に配置することによって、コネクタ１００の組み付けを完了する（図１１（ｂ）参照）。ここで、電線Ｗを隙間５４に配置するとき、作業者は電線Ｗを隙間５４の幅を拡げるようにして隙間５４に押し込む。
このため、連続アーム部５２ｂが電線Ｗによる押圧力によって部品本体２１側に傾斜し、移動方向延在アーム部５２ａが部品本体２１の上面（一側面）２１ａを押圧する。
このような、部品本体２１のハウジング３０への組み付けから、電線Ｗのハウジング３０への組み付け組み付けという一連の組み付け作業によって、部品本体２１をハウジング３０に高い保持力で保持する。
【００４５】
本発明の実施例に係る電線付き電気電子部品の保持構造１は、電流センサー２０をハウジング３０に組み付ける場合、部品本体２１を組み付け位置に配置した後、電線Ｗを隙間５４が押し拡げられるように配置することによって、保持アーム部５２が移動方向延在アーム部５２ａを部品本体２１の一側面２１ａに押圧するように変形するので、部品本体２１が組み付け位置までの移動する際には、移動方向延在アーム部５２ａの一側面２１ａに対する押圧力を組み付けのための邪魔にならない程度に調整し、部品本体２１とともにハウジング３０に保持すべき電線Ｗのハウジング３０への組み付けによって、移動方向延在アーム部５２ａによる保持力を高めるようにしているので、電流センサー２０をハウジング３０に容易に組み付けることができるとともに、保持力を高めてハウジング３０に保持することができる。
【００４６】
また、本発明の実施例に係る電線付き電気電子部品の保持構造１は、保持アーム部５２が移動方向延在アーム部５２ａと、連続アーム部５２ｂとで部品本体２１の複数の面を囲うようにして部品本体２１を保持することができるので、保持アーム部５２によって部品本体部２１のガタつきを抑える効果を高めつつ保持することができる。
【００４７】
また、本発明の実施例に係る電線付き電気電子部品の保持構造１は、一本の電線Ｗによって隙間５４を確実に押し拡げることができるので、容易に組み付けることができる。
【００４８】
また、本発明の実施例に係る電線付き電気電子部品の保持構造１は、電線付き電気電子部品として測定孔２２に導電部材１０を挿通する電流センサー２０を用いた場合、部品本体２１のハウジング３０への組み付けのための移動方向が導電部材１０を測定孔２２に挿通する方向となり、部品本体２１の組み付け位置までの移動の際には、移動方向延在アーム部５２ａの一側面２１ａに対する押圧力を組み付けのための邪魔にならない程度に調整し、部品本体２１とともにハウジング３０に保持すべき電線Ｗのハウジング３０への組み付けによって、移動方向延在アーム部５２ａの保持力を高めるようにしているので、電流センサー２０をハウジング３０に容易に組み付けることができるとともに、保持力を高めてハウジング３０に保持することができる。
【００４９】
（変形例）
次に、図１２を用いて、本発明の実施例に係る電気電子部品の保持構造１の変形例について説明する。
図１２は、変形例の電線付き電気電子部品の保持構造２を組み込んだコネクタ２００の側面図である。
この変形例の電線付き電気電子部品の保持構造２は、部品保持部９０が異なる点で、実施例の電気電子部品の保持構造１と異なる。
なお、その他の構成は実施例と同様であり、実施例と同一構成部分には同一符号を付している。
【００５０】
部品保持部９０は、保持アーム部９１と、電線押圧壁部９２と、を有する。
保持アーム部９１は、部品本体２１の一側面２１ａ側、かつ先端側を部品本体２１の取り付け口としてハウジング３０への組み付けのための移動方向Ｄに沿ってアーム状に延びる移動方向延在アーム部９１ａを有する。すなわち、保持アーム部９１は、連続アーム部５２ｂを有しない構成になっている。
【００５１】
電線押圧壁部９２は、保持アーム部９１との間に電線Ｗを挟み込み配置する隙間を空けるように設けた壁からなる。より具体的には、電線押圧壁部９２は、移動方向延在アーム部９１ａを押圧するように移動方向延在アーム部９１ａとの間で電線Ｗを挟み込み配置する隙間９３を空けるように設けた壁である。
【００５２】
この変形例の電線付き電気電子部品の保持構造２は、電流センサー２０をハウジング３０に組み付ける場合、部品本体２１を組み付け位置に配置した後、電線Ｗを隙間９３に配置することによって、移動方向延在アーム部９１ａが部品本体２１の一側面２１ａを押圧することができるため、部品本体２１の組み付け位置までの移動の際には、移動方向延在アーム部９１ａの一側面２１ａに対する押圧力を組み付けのための邪魔にならない程度に調整し、部品本体２１とともにハウジング３０に保持すべき電線Ｗのハウジング３０への組み付けによって、移動方向延在アーム部９１ａによる保持力を高めるようにしているので、実施例の電線付き電気電子部品の保持構造１と同様に電流センサー２０をハウジング３０に容易に組み付けることができるとともに、保持力を高めてハウジング３０に保持することができる。
【００５３】
なお、本発明の実施例に係る電線付き電気電子部品の保持構造１、２は、電線付き電気電子部品として電流センサー２０を用いるものを例示したが、これに限らず、電線Ｗを取り付けた電気電子部品であればその他の電気電子部品であっても構わない。
【００５４】
また、本発明の実施例に係る電線付き電気電子部品の保持構造１、２は、電線付き電気電子部品としての電流センサー２０が、部品本体２１から電線Ｗが部品本体２１内部に取り付けられた状態で外部に引き出されてなるものを例示したが、これに限らず、電線付き電気電子部品は、部品本体に着脱自在に電線Ｗを取り付けるものであっても構わない。
【００５５】
また、本発明の実施例に係る電線付き電気電子部品の保持構造１、２は、保持アーム部５２、９１を２箇所に設けるものを例示したが、これに限らず、少なくとも１つの保持アーム部５２、９１を設けていればよい。
【００５６】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５７】
１、２    電線付き電気電子部品の保持構造
１０      端子（導電部材）
１１      電気接続部
１１ａ    挿通部
１１ｂ    ボルト締結部
１１ｃ    ボルト挿通孔
１２      メス端子部
１３      中間部
２０      電流センサー（電線付き電気電子部品）
２１      部品本体
２１ａ    上面（一側面）
２２      測定孔
２３      ガイド突起部
２４      ネジ孔
３０      ハウジング
４０      端子配置部
４１      相手コネクタ嵌合部
４１ａ    端子挿入口
４２      中間部配置部
４２ａ    端子載置面
５０、９０      部品保持部
５１      部品載置面
５１ａ    固定孔
５１ｂ    部品端部載置面
５２、９１      保持アーム部
５２ａ、９１ａ    移動方向延在アーム部
５２ｂ    連続アーム部
５３、９２      電線押圧壁部
５４、９３      隙間
６０      ガイド壁部
６０ａ    上端縁面
６１      ガイド壁
７０      ボルト
８０      ネジ
Ｗ        電線
１００、２００    コネクタ
１１０    バスバー
【図１】
2015191759.tif 000003
【図２】
2015191759.tif 000004
【図３】
2015191759.tif 000005
【図４】
2015191759.tif 000006
【図５】
2015191759.tif 000007
【図６】
2015191759.tif 000008
【図７】
2015191759.tif 000009
【図８】
2015191759.tif 000010
【図９】
2015191759.tif 000011
【図１０】
2015191759.tif 000012
【図１１】
2015191759.tif 000013
【図１２】
2015191759.tif 000014